(57)【特許請求の範囲】
【請求項１】
ダクトと、
前記ダクト内を走行するキャリアと、
前記ダクト内において一方向に空気流を発生させる第一送風機と、
前記ダクト内において前記一方向とは逆方向に空気流を発生させる第二送風機と、
を備え、前記第一送風機または前記第二送風機が前記ダクト内に発生させた空気流により前記ダクト内において前記キャリアを走行させ、前記キャリアを介して紙葉類を搬送する紙葉類搬送装置において、
前記第一送風機または前記第二送風機の作動を停止したときに停止後における前記第一送風機または前記第二送風機による空気流の発生を強制的に停止させる停止手段を備え、
前記停止手段は、前記第一送風機または前記第二送風機の吸入口を全体的に塞ぐことにより、空気流の発生を停止させるものであることを特徴とする紙葉類搬送装置。
【請求項２】
前記停止手段は、
前記吸入口を全体的に塞ぐ大きさを有するプレートと、
前記吸入口外の一点を中心として前記吸入口が規定する面と平行な面内において前記プレートを回転させる回転機構と、
を備え、
前記回転機構は、前記吸入口に接して前記吸入口を全体的に覆う第一位置と前記吸入口を覆わない第二位置との間において、前記プレートを回転させるものであることを特徴とする請求項１に記載の紙葉類搬送装置。
【請求項３】
前記停止手段は、
前記吸入口を全体的に塞ぐ大きさを有するプレートと、
前記吸入口が規定する面と平行な面内において前記プレートを平行移動させる移動機構と、
を備え、
前記移動機構は、前記吸入口に接して前記吸入口を全体的に覆う第一位置と前記吸入口を覆わない第二位置との間において、前記プレートを平行移動させるものであることを特徴とする請求項１に記載の紙葉類搬送装置。
【請求項４】
前記停止手段は、
前記吸入口を全体的に塞ぐ大きさを有するプレートと、
前記吸入口が規定する面と直交する方向において前記プレートを平行移動させる移動機構と、
を備え、
前記移動機構は、前記吸入口に接して前記吸入口を覆う第一位置と前記吸入口から離れた第二位置との間において、前記プレートを平行移動させるものであることを特徴とする請求項１に記載の紙葉類搬送装置。
【請求項５】
前記停止手段は、
前記吸入口を全体的に塞ぐ大きさを有するプレートと、
前記吸入口外の一点を中心として前記吸入口が規定する面と直交する面内において前記プレートを回転させる回転機構と、
を備え、
前記回転機構は、前記吸入口に接して前記吸入口を全体的に覆う第一位置と前記吸入口を覆わない第二位置との間において、前記プレートを回転させるものであることを特徴とする請求項１に記載の紙葉類搬送装置。
【請求項６】
前記停止手段は、
前記吸入口を部分的に塞ぐ大きさを有する複数個のプレートであって、全部のプレートが協働して前記吸入口を全体的に塞ぐことができるプレートと、
前記吸入口外の一点を中心として前記吸入口が規定する面と直交する面内において前記複数個のプレートの各々を回転させる、前記プレートの数と同数個の回転機構と、
を備え、
前記回転機構の各々は、前記吸入口に接して前記吸入口を部分的に覆う第一位置と前記吸入口を覆わない第二位置との間において、前記複数個のプレートの各々を回転させるものであることを特徴とする請求項１に記載の紙葉類搬送装置。
【発明の詳細な説明】
【技術分野】
【０００１】
本発明は、ダクト内に発生させた空気流により紙幣その他のシート状の紙葉類を搬送する紙葉類搬送装置に関する。
【背景技術】
【０００２】
このような紙葉類搬送装置の一例として特許第５９２６４１５号公報（特許文献１）に記載されたものがある。
図１５乃至図２０は同特許公報に記載された紙葉類搬送装置を示す。
この紙葉類搬送装置は、紙葉類をその前面で押すことにより当該紙葉類を搬送するキャリア１０と、キャリア１０の外形と相似し、キャリア１０が走行可能な内部空間を有するダクト１１と、ダクト１１内においてキャリア１０を双方向に走行させる一対の第一送風機１２ａ及び第二送風機１２ｂと、ダクト１１内においてキャリア１０を所定の位置で停止させるストッパー１３ａ及び１３ｂと、を備えている。
図１５は紙葉類搬送装置が使用される環境を示す概略図である。
図１５に示すように、複数個のパチンコ台２０その他の遊戯機器が図１５の左右方向に一列に配置されており（図１５においては、１個のパチンコ台２０のみを示している）、パチンコ台２０の横に紙幣を投入するための紙幣投入装置２１が設置されている。
【０００３】
パチンコ台２０の裏側には、当該紙葉類搬送装置の一構成要素であるダクト１１がパチンコ台２０の配列方向と平行に延びるように設置されている。
図１６はダクト１１の部分的斜視図（一部分解図を含む）である。
図１６に示すように、ダクト１１は直線状に延びる中空構造を有しており、その縦断面は、上下方向に長い長方形において上下方向の中央部が内側に突出する形状をなしている。すなわち、上下方向の中央の部分が矩形状にダクト１１の内側に突出する突出部１１ａを構成している。
さらに、ダクト１１の側壁には、紙幣投入装置２１の位置に対応して、スリット１１ｂが形成されている。後述するように、各紙幣投入装置２１に投入された紙幣はスリット１１ｂを通過してダクト１１の内部に送られる。
【０００４】
図１７はキャリア１０の斜視図である。
キャリア１０は、上下方向に延びる中心軸１０ａと、中心軸１０ａの一方の側に配置された４個の第一ウィング１０ｂと、中心軸１０ａの他方の側に配置された４個の第二ウィング１０ｃと、からなる。
第一ウィング１０ｂは、中心軸１０ａの上端及び下端をそれぞれ起点として、２個一組の第一ウィング１０ｂがＶ字型になるように、それぞれ配置されている。同様に、第二ウィング１０ｃは、中心軸１０ａの上端及び下端をそれぞれ起点として、２個一組の第二ウィング１０ｃがＶ字型になるように、それぞれ配置されている。後述するように、ダクト１１の内部に送られた紙幣は４個の第一ウィング１０ｂにその外縁を押されて搬送される。
図１８はキャリア１０がダクト１１の内部に収納された状態を示す斜視図である。
図１８に示すように、ダクト１１の突出部１１ａが、上下の第一ウィング１０ｂの間に形成された空間１０ｄ及び上下の第二ウィング１０ｃの間に形成された空間１０ｄ（図１７参照）に嵌まり込む。
さらに、図１５に示すように、ダクト１１の一端（図１５の右端）には、紙幣投入装置２１から投入され、キャリア１０によって搬送された紙幣を収容する紙幣収容室１４が配置されている。
【０００５】
ダクト１１の両端には、ダクト１１の内部に風を送り込む第一送風機１２ａ及び第二送風機１２ｂが配置されている。
第一送風機１２ａ及び第二送風機１２ｂは何れか一方のみが作動するか、あるいは、双方とも作動しない。双方が同時に作動することはない。第一送風機１２ａが作動すると、ダクト１１の内部に収容されているキャリア１０の第二ウィング１０ｃが風圧を受けて、キャリア１０は紙幣収容室１４に向う方向（方向Ｘ１）に走行する。一方、第二送風機１２ｂが作動すると、ダクト１１の内部に収容されているキャリア１０の第一ウィング１０ｂが風圧を受けて、キャリア１０は紙幣収容室１４から離れる方向（方向Ｘ２）に走行する。
なお、ダクト１１の一方の端部（図１５の右端）に連続して紙幣収容室１４が配置されているため、第二送風機１２ｂは紙幣収容室１４に隣接して配置され、バイパス通路１２ｃを介してダクト１１と連結している。
【０００６】
図１９は紙幣投入装置２１の内部構造を示す概略図である。
図１９に示すように、紙幣投入装置２１は、ローラーユニット２１ｂと、ダクト１１に対して斜めの方向に延びる搬送路２１ｃと、を備えている。
紙幣投入装置２１の紙幣投入口２１ａから投入された紙幣はローラーユニット２１ｂにより搬送され、搬送路２１ｃを介して、ダクト１１の内部に投入される。
図２０は、ダクト１１内においてキャリア１０を所定の位置（具体的には、ダクト１１の両端の近傍）で停止させるストッパー１３ａ及び１３ｂを示す。
ストッパー１３ａ及び１３ｂは、ダクト１１の内部に延びるフック状の部材からなる。キャリア１０の第一ウィング１０ｂがストッパー１３ａに引っ掛かることによって、キャリア１０は紙幣収容室１４の手前で停止する。また、キャリア１０の第二ウィング１０ｃがストッパー１３ｂに引っ掛かることによって、キャリア１０は第一送風機１２ａの手前で停止する。
【０００７】
上記の構造を有する紙葉類搬送装置は以下のように作動する。
パチンコ台２０の顧客が紙幣を紙幣投入装置２１の紙幣投入口２１ａに投入すると、紙幣はローラーユニット２１ｂにより搬送され、搬送路２１ｃを介して、ダクト１１のスリット１１ｂからダクト１１の内部に投入される。
紙幣投入装置２１には紙幣感知センサー（図示せず）が設けられており、紙幣がダクト１１の内部に投入されると、紙幣感知センサーは紙幣投入を示す紙幣投入信号を中央制御装置（図示せず）に送信する。
紙幣投入信号を受信した中央制御装置は第一送風機１２ａを作動させる。第一送風機１２ａが作動を開始すると、ダクト１１の内部には紙幣収容室１４に向う方向（方向Ｘ１）の空気流（風）が発生する。キャリア１０は、第二ウィング１０ｃがこの空気流による風圧を受けることにより、紙幣収容室１４に向う方向（方向Ｘ１）に走行する。キャリア１０は、紙幣収容室１４に到達するまでの間に、ダクト１１に投入された紙幣を第一ウィング１０ｂで捕捉する。キャリア１０は紙幣収容室１４に向う方向（方向Ｘ１）に走行しているため、紙幣を捕捉したキャリア１０は捕捉した紙幣を押した状態を維持しながら走行を続け、次いで、ストッパー１３ａにより停止させられる。キャリア１０が停止することにより、紙幣は慣性力の作用を受けキャリア１０から離れ、紙幣収容室１４に収容される。
【０００８】
紙幣は、その紙面がキャリア１０の走行方向（ダクト１１の長さ方向）と平行であり、かつ、その短辺がキャリア１０の中心軸１０ａと平行になる姿勢を維持してキャリア１０により搬送される。
ストッパー１３ａの近傍にはキャリア１０を検知するセンサー（図示せず）が配置されており、キャリア１０がストッパー１３ａによって停止すると、センサーは、キャリア１０がストッパー１３ａによって停止したことを示すキャリア停止信号を中央制御装置に送信する。
キャリア停止信号を受信した中央制御装置は第一送風機１２ａの作動を停止するとともに、キャリア１０がストッパー１３ａによって停止してから所定の時間（紙幣が紙幣収容室１４に収容されるのに必要な時間）が経過したときに、第二送風機１２ｂを作動させる。
【０００９】
第二送風機１２ｂが作動を開始すると、ダクト１１の内部には紙幣収容室１４から離れる方向（方向Ｘ２）の空気流（風）が発生する。キャリア１０は、第一ウィング１０ｂがこの空気流による風圧を受けることにより、紙幣収容室１４から離れる方向（方向Ｘ２）に走行する。
その後、キャリア１０はストッパー１３ｂに引っ掛かり、停止する。すなわち、キャリア１０は当初の位置に復帰する。
以上の動作が、紙幣が紙幣投入装置２１に投入されてから、紙幣収容室１４に収容されるまでの１サイクルの動作である。
【先行技術文献】
【特許文献】
【００１０】
【特許文献１】特許第５９２６４１５号公報（特開２０１６−１６００３８号公報）
【発明の概要】
【発明が解決しようとする課題】
【００１１】
第一送風機１２ａ及び第二送風機１２ｂは、具体的には、ブロワーから構成されている。ブロワーは、内蔵された回転子（ファン）が回転することにより、吸入口を介して周囲の空気を吸引し、吸引した空気の圧力を高めた状態で排気口から空気（圧縮空気）を排出する。
前述のように、キャリア１０が紙幣を紙幣収容室１４まで搬送した後においては、第二送風機１２ｂが作動し、キャリア１０を当初の位置（図１５におけるダクト１１の左端の位置）まで走行させ、キャリア１０が当初の位置まで戻ると、中央制御装置は第二送風機１２ｂの作動を停止する。
しかしながら、第二送風機１２ｂには機械的または電気的に回転子を停止させるブレーキ機構が設けられていないため、中央制御装置が第二送風機１２ｂの作動を停止した後であっても、回転子は慣性で回転を続けるため、回転子が止まるまでの間（具体的には４秒乃至１０秒）、ダクト１１の内部には第二送風機１２ｂからの空気流が方向Ｘ２に送り続けられる。
【００１２】
ダクト１１の内部に第二送風機１２ｂからの空気流が送られている間にあっては、たとえその空気流が少量であっても、第一送風機１２ａを作動させることは非効率的である。
あるいは、第二送風機１２ｂに空気流の逆流防止のための逆止弁が設けられることがあるが、第二送風機１２ｂが慣性で作動を継続している間はこの逆止弁は開いたままの状態である。逆止弁が開いた状態のまま第一送風機１２ａを作動させると、逆止弁に逆方向から空気流が流れ込むため、逆止弁は閉まらなくなる。このため、第一送風機１２ａからの空気流が第二送風機１２ｂに流れ込み、第二送風機１２ｂの故障または紙葉類搬送装置の作動不良の原因となり得る。
本発明は以上のような従来の紙葉類搬送装置における問題点に鑑みてなされたものであり、第二送風機１２ｂが作動を停止した後であっても、しばらくの間、第二送風機１２ｂからの送風が継続されることを防止可能な紙葉類搬送装置を提供することを目的とする。
【課題を解決するための手段】
【００１３】
上記の目的を達成するため、本発明は、ダクトと、前記ダクト内を走行するキャリアと、前記ダクト内において一方向に空気流を発生させる第一送風機と、前記ダクト内において前記一方向とは逆方向に空気流を発生させる第二送風機と、を備え、前記第一送風機または前記第二送風機が前記ダクト内に発生させた空気流により前記ダクト内において前記キャリアを走行させ、前記キャリアを介して紙葉類を搬送する紙葉類搬送装置において、前記第一送風機または前記第二送風機の作動を停止したときに停止後における前記第一送風機または前記第二送風機による空気流の発生を強制的に停止させる停止手段を備え、前記停止手段は、前記第一送風機または前記第二送風機の吸入口を全体的に塞ぐことにより、空気流の発生を停止させるものであることを特徴とする紙葉類搬送装置を提供する。
【００１４】
前記停止手段は、例えば、前記吸入口を全体的に塞ぐ大きさを有するプレートと、前記吸入口外の一点を中心として前記吸入口が規定する面と平行な面内において前記プレートを回転させる回転機構と、を備え、前記回転機構は、前記吸入口に接して前記吸入口を全体的に覆う第一位置と前記吸入口を覆わない第二位置との間において、前記プレートを回転させるものとして構成することができる。
【００１５】
また、前記停止手段は、前記吸入口を全体的に塞ぐ大きさを有するプレートと、前記吸入口が規定する面と平行な面内において前記プレートを平行移動させる移動機構と、を備え、前記移動機構は、前記吸入口に接して前記吸入口を全体的に覆う第一位置と前記吸入口を覆わない第二位置との間において、前記プレートを平行移動させるものとして構成することができる。
また、前記停止手段は、前記吸入口を全体的に塞ぐ大きさを有するプレートと、前記吸入口が規定する面と直交する方向において前記プレートを平行移動させる移動機構と、を備え、前記移動機構は、前記吸入口に接して前記吸入口を覆う第一位置と前記吸入口から離れた第二位置との間において、前記プレートを平行移動させるものとして構成することができる。
【００１６】
また、前記停止手段は、前記吸入口を全体的に塞ぐ大きさを有するプレートと、前記吸入口外の一点を中心として前記吸入口が規定する面と直交する面内において前記プレートを回転させる回転機構と、を備え、前記回転機構は、前記吸入口に接して前記吸入口を全体的に覆う第一位置と前記吸入口を覆わない第二位置との間において、前記プレートを回転させるものとして構成することができる。
【００１７】
また、前記停止手段は、前記吸入口を部分的に塞ぐ大きさを有する複数個のプレートであって、全部のプレートが協働して前記吸入口を全体的に塞ぐことができるプレートと、前記吸入口外の一点を中心として前記吸入口が規定する面と直交する面内において前記複数個のプレートの各々を回転させる、前記プレートの数と同数個の回転機構と、を備え、前記回転機構の各々は、前記吸入口に接して前記吸入口を部分的に覆う第一位置と前記吸入口を覆わない第二位置との間において、前記複数個のプレートの各々を回転させるものとして構成することができる。
【発明の効果】
【００１８】
本発明に係る紙葉類搬送装置によれば、第二送風機１２ｂの作動が停止された後、停止手段によって、第二送風機１２ｂからの空気流の発生は強制的に停止される。具体的には、停止手段によって、第二送風機１２ｂの吸入口が全体的に塞がれることによって、空気流の発生が停止される。
このため、第二送風機１２ｂが作動を停止した後においては、第二送風機１２ｂからの送風は確実になくなるため、第二送風機１２ｂが作動を停止した直後の段階から第一送風機１２ａを作動させることが可能になり、第二送風機１２ｂの故障または紙葉類搬送装置の作動不良を回避することができ、ひいては、紙葉類搬送装置による紙幣搬送の効率を高めることができる。
【図面の簡単な説明】
【００１９】
【図１】本発明の第一の実施形態に係る紙葉類搬送装置が使用される環境を示す概略図である。
【図２】図１に示した紙葉類搬送装置の一構成要素をなしているキャリアの斜視図である。
【図３】図３（Ａ）は図２に示したキャリアの正面図、図３（Ｂ）はキャリアを上方から見たときの平面図、図３（Ｃ）はキャリアの底面図、図３（Ｄ）はキャリアの側面図である。
【図４】図２に示したキャリアの構成部品である第一キャリア部材の斜視図である。
【図５】図２に示したキャリアの構成部品である第二キャリア部材の斜視図である。
【図６】図１に示した紙葉類搬送装置の一構成要素をなしているダクトの斜視図である。
【図７】本発明の第一の実施形態に係る紙葉類搬送装置の部分的縦断面図である。
【００２０】
【図８】本発明の第一の実施形態に係る紙葉類搬送装置の部分的縦断面図である。
【図９】本発明の第一の実施形態に係る紙葉類搬送装置における第二送風機の拡大斜視図である。
【図１０】本発明の第一の実施形態における停止手段の概略図である。
【図１１】図１１（Ａ）及び図１１（Ｂ）は本発明の第二の実施形態における停止手段の概略図である。
【図１２】図１２（Ａ）及び図１２（Ｂ）は本発明の第三の実施形態における停止手段の概略図である。
【図１３】図１３（Ａ）及び図１３（Ｂ）は本発明の第四の実施形態における停止手段の概略図である。
【００２１】
【図１４】図１４（Ａ）、図１４（Ｂ）及び図１４（Ｃ）は本発明の第五の実施形態における停止手段の概略図である。
【図１５】従来の紙葉類搬送装置が使用される環境を示す概略図である。
【図１６】図１５に示した従来の紙葉類搬送装置の一構成要素であるダクトの部分的斜視図（一部分解図を含む）である。
【図１７】図１５に示した従来の紙葉類搬送装置の一構成要素であるキャリアの斜視図である。
【図１８】図１７に示したキャリアが図１６に示したダクトの内部に収納された状態を示す斜視図である。
【図１９】図１５に示した従来の紙葉類搬送装置の一構成要素である紙幣投入装置の内部構造を示す概略図である。
【図２０】図１５に示した従来の紙葉類搬送装置の一構成要素であるストッパーを示す断面図である。
【発明を実施するための形態】
【００２２】
（第一の実施形態）
図１は本発明の第一の実施形態に係る紙葉類搬送装置３００が使用される環境を示す概略図である。
紙葉類搬送装置３００は、紙幣をその前面で押すことにより当該紙幣を搬送するキャリア３１０と、キャリア３１０の外形と相似し、キャリア３１０が走行可能な内部空間を有するダクト３２０と、ダクト３２０内においてキャリア３１０を双方向に走行させるための一対の第一送風機３３０ａ及び第二送風機３３０ｂと、ダクト３２０内においてキャリア３１０を所定の位置で停止させる一対のストッパー（図示せず）と、を備えている。
図１に示すように、複数個のパチンコ機その他の遊戯機器４００が図１の左右方向に一列に配置されており（ただし、図１においては、１個のパチンコ機４００のみを示している）、各パチンコ機４００の横には遊技媒体貸し出し機４０１が設置されている。遊技媒体貸し出し機４０１は、紙幣が投入されると、その紙幣の額に応じた数の遊技媒体を払い出す。
【００２３】
パチンコ機４００の裏面側には、紙葉類搬送装置３００の一構成要素であるダクト３２０がパチンコ機４００の配列方向（図１の左右方向）と平行に延びるように設置されている。
図２はキャリア３１０の斜視図であり、図３（Ａ）はキャリア３１０の正面図、図３（Ｂ）はキャリア３１０を上方から見たときの平面図、図３（Ｃ）はキャリア３１０の底面図、図３（Ｄ）はキャリア３１０の側面図である。
キャリア３１０は第一キャリア部材３１１と第二キャリア部材３１２とから構成されている。
図４は第一キャリア部材３１１の斜視図、図５は第二キャリア部材３１２の斜視図である。
以下、図２に示すように、第一キャリア部材３１１の短辺が延びる方向（図２の左右方向）を第一方向Ｄ１、第一方向Ｄ１と直交する方向であって、第一キャリア部材３１１の長辺が延びる方向（図２の上下方向）を第二方向Ｄ２、第一方向Ｄ１及び第二方向Ｄ２の双方と直交する方向を第三方向Ｄ３とする。
【００２４】
図４に示すように、第一キャリア部材３１１はフレーム状の板材からなり、当該板材の厚さ方向と直交する方向から見たときの断面はほぼ長方形である。第一キャリア部材３１１を構成する板材の幅は一定である。
第一キャリア部材３１１の内壁の四隅には、図３（Ｄ）に示すように、相互に隣接する二辺にわたって円弧状の補強部材３１３が設けられている。
図５に示すように、第二キャリア部材３１２はフレーム状の板材からなり、当該板材の厚さ方向と直交する方向から見たときの断面は長方形にほぼ近い形状である。第二キャリア部材３１２を構成する板材の幅は一定である。
第二キャリア部材３１２には、相互に対向する一対の辺（長方形の短辺に相当する辺）において、第二キャリア部材３１２の外側から内側に向かう凹部３１４がそれぞれ形成されている。
【００２５】
凹部３１４の各々は、第二キャリア部材３１２の外側から内側に向かって相互に平行に延びる一対の第一部材３１４Ａと、一対の第一部材３１４Ａの各々の一方の端部（第二キャリア部材３１２の内側に位置する端部）を連結する第二部材３１４Ｂと、一対の第一部材３１４Ａの各々の他方の端部から相互に近接するように延びる一対の第三部材３１４Ｃと、から構成されている。
図２に示すように、第二キャリア部材３１２は凹部３１４を介して第一キャリア部材３１１の内側から第一キャリア部材３１１に嵌め込まれる。この際、第一キャリア部材３１１は凹部３１４の第二部材３１４Ｂと一対の第三部材３１４Ｃとの間に嵌合された状態となる。すなわち、第一キャリア部材３１１はその表面側と裏面側とで凹部３１４の第二部材３１４Ｂ及び一対の第三部材３１４Ｃにそれぞれ挟まれた状態になるため、第一キャリア部材３１１と第二キャリア部材３１２とは相互に強力に連結し、第一キャリア部材３１１は第二キャリア部材３１２から容易には外れない。
【００２６】
第一キャリア部材３１１及び第二キャリア部材３１２の角の全てまたはいくつかには面取りが施され、あるいは、曲面形状に形成されている。
さらに、図３（Ｄ）に示すように、第二キャリア部材３１２を構成する部分のうち、第一方向Ｄ１に延びる部分３１２Ａの両側縁（図３（Ｄ）の上下における側縁）には曲線状のテーパ３１２Ｂが形成されている。テーパ３１２Ｂは、部分３１２Ａの両端（図３（Ｄ）の左右方向の両端）から一定の長さにわたって形成されており、部分３１２Ａの幅（第二方向Ｄ２における長さ）は部分３１２Ａの両端に近いほど小さくなるように設定されている。
第二キャリア部材３１２の部分３１２Ａにテーパ３１２Ｂを形成することにより、キャリア３１０がダクト３２０内を走行するときのダクト３２０の第二空間３２２（図６を参照）の上下の内壁に対する抵抗を減少させることができるので、キャリア３１０の走行を安定させることができる。
【００２７】
図６はダクト３２０の斜視図である。
図６に示すように、ダクト３２０はキャリア３１０の外形と相似し、かつ、キャリア３１０が走行可能である範囲内において最小断面積の内部空間を有している。
具体的には、ダクト３２０の内部空間は、第二方向Ｄ２に延びる長辺を有する長方形断面の第一空間３２１と、第一空間３２１の第二方向Ｄ２における中央から外側に向って第三方向Ｄ３に延びる一対の第二空間３２２と、からなる。第二空間３２２の各々は長方形断面を有しており、第三方向Ｄ３における第二空間３２２の各々の長さは相互に等しい。
キャリア３１０の第一キャリア部材３１１が第一空間３２１の内部を走行し、キャリア３１０の第二キャリア部材３１２のうち第一キャリア部材３１１から外側に突出している部分が各第二空間３２２の内部を走行する。ダクト３２０に投入された紙幣はキャリア３１０の第一キャリア部材３１１に押されて、第一空間３２１の内部を走行する。
ダクト３２０は、例えば、透明のプラスチック製である。
【００２８】
図１に示すように、ダクト３２０の一端（図１の右端）には、遊技媒体貸し出し機４０１から紙幣取り込み装置（図示せず。図１９に示した紙幣投入装置２１に対応する装置。）を介してダクト３２０の内部に投入され、キャリア３１０によって搬送された紙幣を収容する紙幣収容室３４０が配置されている。
ダクト３２０の内部に空気流を送り込む第一送風機３３０ａ及び第二送風機３３０ｂはダクト３２０の両端に配置されている。
第一送風機３３０ａ及び第二送風機３３０ｂは何れか一方のみが作動するか、あるいは、双方とも作動しない。双方が同時に作動することはない。第一送風機３３０ａが作動すると、ダクト３２０の内部に収容されているキャリア３１０は風圧を受けて、紙幣収容室３４０に向う方向（方向Ｘ１）に走行する。一方、第二送風機３３０ｂが作動すると、ダクト３２０の内部に収容されているキャリア３１０は風圧を受けて、紙幣収容室３４０から離れる方向（方向Ｘ２）に走行する。
【００２９】
なお、第一送風機３３０ａはダクト３２０の一端（図１の左端）に接続されているが、ダクト３２０の他方の端部（図１の右端）には当該端部に連続して紙幣収容室３４０が配置されているため、第二送風機３３０ｂは紙幣収容室３４０に隣接して配置され、バイパス通路３３０ｃを介してダクト３２０と連結している。
さらに、本実施形態に係る紙葉類搬送装置３００は仕切り壁３５０及びバネ部材３５１とからなる逆止弁３６０を追加的に備えている。
図７及び図８は本実施形態に係る紙葉類搬送装置３００の部分的縦断面図である。図７及び図８は何れもダクト３２０の終端（図７及び図８におけるダクト３２０の左端）を含む一部、紙幣収容室３４０、ダクト３２０の終端から紙幣収容室３４０まで延びる紙幣搬送路３２１、第二送風機３３０ｂ及びバイパス通路３３０ｃを含む領域の断面図であり（なお、図１と図７及び図８とでは左右の向きが逆になっている）、図７は仕切り壁３５０が閉じている状態、図８は仕切り壁３５０が開いている状態を示している。
【００３０】
仕切り壁３５０は、紙幣搬送路３２１の内部において紙幣搬送路３２１の内壁に沿って設置されており、紙幣搬送路３２１の長さ方向における両端のうち、紙幣収容室３４０に近い方の端部を中心としてバイパス通路３３０ｃに対して回動自在に構成されている。すなわち、仕切り壁３５０は、バイパス通路３３０ｃに対して閉じた状態（図７の状態）とバイパス通路３３０ｃに対して開いた状態（図８の状態）の間で回動する。
仕切り壁３５０の大きさは、仕切り壁３５０がバイパス通路３３０ｃに対して閉じているとき（図７の状態）には、バイパス通路３３０ｃを全体的に塞ぐことかできる大きさであり、かつ、仕切り壁３５０がバイパス通路３３０ｃに対して開いたとき（図８の状態）には、仕切り壁３５０の他端が紙幣搬送路３２１の上面に接触する大きさ、すなわち、仕切り壁３５０が紙幣搬送路３２１を全体的に塞ぐことができる大きさである。
【００３１】
バネ部材３５１は引張バネであり、その一端がバイパス通路３３０ｃの内面に、他端が仕切り壁３５０の裏面（バイパス通路３３０ｃに通じる側の面）にそれぞれ止められている。このため、バネ部材３５１は仕切り壁３５０がバイパス通路３３０ｃを塞ぐ方向に仕切り壁３５０を付勢するものであり、図７に示すように、紙幣が搬送されてきていないときには、仕切り壁３５０はバイパス通路３３０ｃを塞いでいる状態を維持している。
後述するように、第二送風機３３０ｂが作動すると、第二送風機３３０ｂからの空気流による風力がバネ部材３５１の引張力に勝るため、仕切り壁３５０は回動し、バイパス通路３３０ｃに対して開いた状態（図８の状態）に移行する。
【００３２】
上記の構造を有する紙葉類搬送装置３００は以下のように作動する。
パチンコ機４００の顧客が遊技媒体貸し出し機４０１に紙幣を投入すると、その紙幣の額に応じた数の遊技媒体が遊技媒体貸し出し機４０１から払い出される。遊技媒体貸し出し機４０１に投入された紙幣は遊技媒体貸し出し機４０１の背面から排出され、紙幣取り込み装置に取り込まれた後、紙幣取り込み装置からダクト３２０の内部に投入される。
遊技媒体貸し出し機４０１には紙幣感知センサー（図示せず）が設けられており、紙幣がダクト３２０の内部に投入されると、紙幣感知センサーは紙幣投入を示す紙幣投入信号を中央制御装置（図示せず）に送信する。
紙幣投入信号を受信した中央制御装置は第一送風機３３０ａを作動させる。第一送風機３３０ａが作動を開始すると、ダクト３２０の内部には紙幣収容室３４０に向う方向（方向Ｘ１）の空気流が送られる。キャリア３１０はこの空気流による風圧を受けることにより、紙幣収容室３４０に向う方向（方向Ｘ１）に走行を開始する。
【００３３】
キャリア３１０は、紙幣収容室３４０に到達するまでの間に、紙幣取り込み装置を介してダクト３２０に投入された紙幣を第一キャリア部材３１１の前面で捕捉する。紙幣を捕捉したキャリア３１０は捕捉した紙幣を押した状態を維持しながら、紙幣収容室３４０に向う方向（方向Ｘ１）に走行を続け、次いで、ストッパー（図示せず）により停止させられる。キャリア３１０が停止することにより、紙幣は慣性力の作用を受けキャリア３１０から離れ、紙幣収容室３４０に収容される。
紙幣がキャリア３１０から離れ、紙幣収容室３４０に収容されるまでの間においては、仕切り壁３５０はバネ部材３５１の作用により閉じている。このため、紙幣はバイパス通路３３０ｃの周縁に引っ掛かることなく、紙幣収容室３４０に収容されることが可能である。
【００３４】
ストッパーの近傍にはキャリア３１０を検知するセンサー（図示せず）が配置されており、キャリア３１０がストッパーによって停止すると、センサーは、キャリア３１０の停止を示すキャリア停止信号を中央制御装置に送信する。
キャリア停止信号を受信した中央制御装置は第一送風機３３０ａの作動を停止するとともに、キャリア３１０がストッパーによって停止してから所定の時間（紙幣が紙幣収容室３４０に収容されるのに必要な時間）が経過したときに、第二送風機３３０ｂを作動させる。
第二送風機３３０ｂが作動を開始すると、空気流がバイパス通路３３０ｃに送られる。仕切り壁３５０はバネ部材３５１の付勢力によりバイパス通路３３０ｃを閉じているが、第二送風機３３０ｂが発生する空気流の風圧によって、図８に示すように、仕切り壁３５０はバネ部材３５１の付勢力に抗してその他端が紙幣搬送路３２１の上面に接するまで回動する。
【００３５】
これにより、紙幣収容室３４０に通じる紙幣搬送路３２１は仕切り壁３５０により遮断され、バイパス通路３３０ｃとダクト３２０とが連通する。この結果、第二送風機３３０ｂからの空気流はダクト３２０に送られ、ダクト３２０の内部のキャリア３１０はこの空気流による風圧を受けて、紙幣収容室３４０から離れる方向（図１の方向Ｘ２）に走行を開始する。
キャリア３１０がダクト３２０の始端（図１の左端）の手前においてストッパー（図示せず）に衝突し、停止すると、センサー（図示せず）がキャリア３１０を検知し、検知信号を中央制御装置に送信する。センサーからの検知信号を受信した中央制御装置は第二送風機３３０ｂの作動を停止する。
【００３６】
第二送風機３３０ｂが作動を停止すると、仕切り壁３５０はバネ部材３５１の付勢力によって、バイパス通路３３０ｃを閉じる位置に再び復帰する（図７の状態）。
以上が本実施形態に係る紙葉類搬送装置３００の動作の１サイクルである。以後、このサイクルが繰り返される。
前述のように、従来の第二送風機１２ｂには機械的または電気的に回転子を停止させるブレーキ機構が設けられていないため、中央制御装置が第二送風機１２ｂの作動を停止した後であっても、回転子は慣性で回転を続ける。このため、回転子が止まるまでの間（具体的には４秒乃至１０秒）、ダクト１１の内部には第二送風機１２ｂからの空気流が方向Ｘ２に送り続けられる。このため、第二送風機１２ｂが慣性で作動を継続している間はこの逆止弁３６０は開いたままの状態になる。逆止弁３６０が開いた状態のまま第一送風機１２ａを作動させると、第一送風機１２ａからの空気流が逆止弁３６０を通過してバイパス通路１２ｃに流れ込むため、逆止弁３６０は閉まらなくなり、紙葉類搬送装置３００の正常な動作を維持することが不可能になる。
【００３７】
このため、本実施形態に係る紙葉類搬送装置３００には、第二送風機３３０ｂの作動が停止された後において第二送風機３３０ｂによる空気流の発生を強制的に停止させる停止手段３７０が設けられている。以下に例示するように、停止手段３７０は第二送風機３３０ｂの吸入口の全体を塞ぐことによって、第二送風機３３０ｂからの空気流の発生を強制的に停止させるものである。
図９は第二送風機３３０ｂの拡大斜視図である。
図９に示すように、第二送風機３３０ｂは円形の吸入口３３１を備えている。第二送風機３３０ｂは、内蔵されている回転子（図示せず）が回転することにより、吸入口３３１を介して周囲の空気を吸引し、バイパス通路３３０ｃを介して圧縮した状態の空気をダクト３２０の内部に送り出す。
【００３８】
図１０は本実施形態における停止手段３７０の概略図である。
停止手段３７０は、吸入口３３１を全体的に塞ぐ大きさを有する円形のプレート３７１と、吸入口３３１外の一点を中心として吸入口３３１が規定する面（図１０においては、図１０の紙面）と平行な面内においてプレート３７１を回転させる回転機構３７２と、を備えている。
回転機構３７２は、例えば、ステップモーター、あるいは、ソレノイド及び当該ソレノイドによる鉄心の直線運動を回転運動に変換する変更機構の組み合わせなどから構成される。
回転機構３７２は、プレート３７１が吸入口３３１と接し、かつ、吸入口３３１を全体的に覆う第一位置（図１０の破線の位置）と、プレート３７１が吸入口３３１から離れ、吸入口３３１を覆わない第二位置（図１０の実線の位置）との間でプレート３７１を回転させる。
【００３９】
停止手段３７０は以下のように作動する。
プレート３７１は、第一送風機３３０ａ及び第二送風機３３０ｂが作動している間においては、第二位置（図１０の実線の位置）に位置している。
中央制御装置が第二送風機３３０ｂの作動を停止するときには、中央制御装置は第二送風機３３０ｂを停止させると同時に、回転機構３７２を作動させ、プレート３７１を第二位置から第一位置（図１０の破線の位置）に移行させる。
プレート３７１が第一位置に移行することにより、第二送風機３３０ｂの吸入口３３１はその全体がプレート３７１によって塞がれるため、第二送風機３３０ｂは空気を吸入することが不可能となり、ひいては、バイパス通路３３０ｃを介して空気をダクト３２０に送り込むことも不可能になる。
【００４０】
以上のように、停止手段３７０を設けることにより、第二送風機３３０ｂの作動が停止された直後の段階から第二送風機３３０ｂからの空気流の発生は強制的に停止される。このため、第二送風機３３０ｂが作動を停止した後では、第二送風機３３０ｂからの送風は確実になくなるため、第二送風機３３０ｂが作動を停止した直後の段階から第一送風機３３０ａを作動させることが可能になる。
プレート３７１は、例えば、第一送風機３３０ａが作動を開始するのと同時に、第一位置から第二位置に移行する。
【００４１】
（第二の実施形態）
本発明の第二の実施形態に係る紙葉類搬送装置は第一の実施形態における停止手段３７０に代えて停止手段３７０Ａを備えている。この点を除いて、本実施形態に係る紙葉類搬送装置は第一の実施形態に係る紙葉類搬送装置３００と同一の構造を有している。
図１１は停止手段３７０Ａの概略図であり、図１１（Ａ）は停止手段３７０Ａが第二送風機３３０ｂの吸入口３３１を塞がない第二位置にある場合を示し、図１１（Ｂ）は停止手段３７０Ａが第二送風機３３０ｂの吸入口３３１を塞ぐ第一位置にある場合を示す。
停止手段３７０Ａは、吸入口３３１を全体的に塞ぐ大きさを有する円形のプレート３７１と、吸入口３３１が規定する面（図１１においては、図１１の紙面）と平行な面内においてプレート３７１を平行移動させる移動機構３７３と、を備えている。
移動機構３７３は、吸入口３３１に接し、かつ、吸入口３３１を全体的に覆う第一位置（図１１（Ｂ）に示す位置）と吸入口３３１を覆わない第二位置（図１１（Ａ）に示す位置）との間において、プレート３７１を平行移動させる。
【００４２】
停止手段３７０Ａは以下のように作動する。
プレート３７１は、第一送風機３３０ａ及び第二送風機３３０ｂが作動している間においては、第二位置（図１１（Ａ）に示す位置）に位置している。
中央制御装置が第二送風機３３０ｂの作動を停止するときには、中央制御装置は第二送風機３３０ｂを停止させると同時に、移動機構３７３を作動させ、プレート３７１を第二位置から第一位置（図１１（Ｂ）に示す位置）に移行させる。
プレート３７１が第一位置に移行することにより、第二送風機３３０ｂの吸入口３３１はその全体がプレート３７１によって塞がれるため、第二送風機３３０ｂは空気を吸入することが不可能となり、ひいては、バイパス通路３３０ｃを介して空気をダクト３２０に送り込むことも不可能になる。
以上のように、停止手段３７０Ａを設けることにより、第二送風機３３０ｂの作動が停止された直後の段階から第二送風機３３０ｂからの空気流の発生は強制的に停止される。このため、第二送風機３３０ｂが作動を停止した後では、第二送風機３３０ｂからの送風は確実になくなるため、第二送風機３３０ｂが作動を停止した直後の段階から第一送風機３３０ａを作動させることが可能になる。
プレート３７１は、例えば、第一送風機３３０ａが作動を開始するのと同時に、第一位置から第二位置に移行する。
【００４３】
（第三の実施形態）
本発明の第三の実施形態に係る紙葉類搬送装置は第一の実施形態における停止手段３７０に代えて停止手段３７０Ｂを備えている。この点を除いて、本実施形態に係る紙葉類搬送装置は第一の実施形態に係る紙葉類搬送装置３００と同一の構造を有している。
図１２は停止手段３７０Ｂの概略図であり、図１２（Ａ）は停止手段３７０Ｂが第二送風機３３０ｂの吸入口３３１を塞がない第二位置にある場合を示し、図１２（Ｂ）は停止手段３７０Ｂが第二送風機３３０ｂの吸入口３３１を塞ぐ第一位置にある場合を示す。
停止手段３７０Ｂは、吸入口３３１を全体的に塞ぐ大きさを有する円形のプレート３７１と、吸入口３３１が規定する面と直交する方向（図１２の上下方向）においてプレート３７１を平行移動させる移動機構３７４と、を備えている。
【００４４】
移動機構３７４は、吸入口３３１に接し、かつ、吸入口３３１を全体的に覆う第一位置（図１２（Ｂ）に示す位置）と吸入口３３１から上方に離れ、吸入口３３１とは接していない第二位置（図１２（Ａ）に示す位置）との間において、プレート３７１を平行移動させる。
停止手段３７０Ｂは以下のように作動する。
プレート３７１は、第一送風機３３０ａ及び第二送風機３３０ｂが作動している間においては、第二位置（図１２（Ａ）に示す位置）に位置している。
中央制御装置が第二送風機３３０ｂの作動を停止するときには、中央制御装置は第二送風機３３０ｂを停止させると同時に、移動機構３７４を作動させ、プレート３７１を第二位置から第一位置（図１２（Ｂ）に示す位置）に移行させる。
プレート３７１が第一位置に移行することにより、第二送風機３３０ｂの吸入口３３１はその全体がプレート３７１によって塞がれるため、第二送風機３３０ｂは空気を吸入することが不可能となり、ひいては、バイパス通路３３０ｃを介して空気をダクト３２０に送り込むことも不可能になる。
【００４５】
以上のように、停止手段３７０Ｂを設けることにより、第二送風機３３０ｂの作動が停止された直後の段階から第二送風機３３０ｂからの空気流の発生は強制的に停止される。このため、第二送風機３３０ｂが作動を停止した後では、第二送風機３３０ｂからの送風は確実になくなるため、第二送風機３３０ｂが作動を停止した直後の段階から第一送風機３３０ａを作動させることが可能になる。
プレート３７１は、例えば、第一送風機３３０ａが作動を開始するのと同時に、第一位置から第二位置に移行する。
【００４６】
（第四の実施形態）
本発明の第四の実施形態に係る紙葉類搬送装置は第一の実施形態における停止手段３７０に代えて停止手段３７０Ｃを備えている。この点を除いて、本実施形態に係る紙葉類搬送装置は第一の実施形態に係る紙葉類搬送装置３００と同一の構造を有している。
図１３は停止手段３７０Ｃの概略図であり、図１３（Ａ）は停止手段３７０Ｃが第二送風機３３０ｂの吸入口３３１を塞がない第二位置にある場合を示し、図１３（Ｂ）は停止手段３７０Ｃが第二送風機３３０ｂの吸入口３３１を塞ぐ第一位置にある場合を示す。
停止手段３７０Ｃは、吸入口３３１を全体的に塞ぐ大きさを有する円形のプレート３７１と、吸入口３３１外の一点を中心として吸入口３３１が規定する面と直交する面内においてプレート３７１を回転させる回転機構３７５と、を備えている。プレート３７１が回転している間においては、プレート３７１の面はプレート３７１の回転方向と直交する状態にある。
【００４７】
プレート３７１はその円周上の一点において回転機構３７５と接続されており、回転機構３７５は、吸入口３３１に接し、かつ、吸入口３３１を全体的に覆う第一位置（図１３（Ｂ）に示す位置）と吸入口３３１を覆わない第二位置（図１３（Ａ）に示す位置）との間において、プレート３７１を回転させる。
停止手段３７０Ｃは以下のように作動する。
プレート３７１は、第一送風機３３０ａ及び第二送風機３３０ｂが作動している間においては、第二位置（図１３（Ａ）に示す位置）に位置している。
中央制御装置が第二送風機３３０ｂの作動を停止するときには、中央制御装置は第二送風機３３０ｂを停止させると同時に、回転機構３７５を作動させ、プレート３７１を第二位置から第一位置（図１３（Ｂ）に示す位置）に移行させる。
【００４８】
プレート３７１が第一位置に移行することにより、第二送風機３３０ｂの吸入口３３１はその全体がプレート３７１によって塞がれるため、第二送風機３３０ｂは空気を吸入することが不可能となり、ひいては、バイパス通路３３０ｃを介して空気をダクト３２０に送り込むことも不可能になる。
以上のように、停止手段３７０Ｃを設けることにより、第二送風機３３０ｂの作動が停止された直後の段階から第二送風機３３０ｂからの空気流の発生は強制的に停止される。このため、第二送風機３３０ｂが作動を停止した後では、第二送風機３３０ｂからの送風は確実になくなるため、第二送風機３３０ｂが作動を停止した直後の段階から第一送風機３３０ａを作動させることが可能になる。
プレート３７１は、例えば、第一送風機３３０ａが作動を開始するのと同時に、第一位置から第二位置に移行する。
【００４９】
（第五の実施形態）
本発明の第五の実施形態に係る紙葉類搬送装置は第一の実施形態における停止手段３７０に代えて停止手段３７０Ｄを備えている。この点を除いて、本実施形態に係る紙葉類搬送装置は第一の実施形態に係る紙葉類搬送装置３００と同一の構造を有している。
図１４は停止手段３７０Ｄの概略図であり、図１４（Ａ）は停止手段３７０Ｄが第二送風機３３０ｂの吸入口３３１を塞がない第二位置にある場合を示し、図１４（Ｂ）は停止手段３７０Ｄが第二送風機３３０ｂの吸入口３３１を塞ぐ第一位置にある場合を示し、図１４（Ｃ）は第一位置にある停止手段３７０Ｄを第二送風機３３０ｂの上方から見た場合の平面図である。
【００５０】
停止手段３７０Ｄは、２個の半円形のプレート３７６ａ、３７６ｂと、吸入口３３１外の一点を中心として吸入口３３１が規定する面と直交する面内においてプレート３７６ａ、３７６ｂの各々を回転させる回転機構３７７ａ、３７７ｂと、を備えている。プレート３７６ａ、３７６ｂが回転している間においては、プレート３７６ａ、３７６ｂの面はプレート３７６ａ、３７６ｂの回転方向と直交する状態にある。
各プレート３７６ａ、３７６ｂは半円形の頂点において回転機構３７７ａ、３７７ｂと接続されており、回転機構３７７ａ、３７７ｂは、吸入口３３１に接し、かつ、吸入口３３１を部分的に覆う第一位置（図１４（Ｂ）に示す位置）と吸入口３３１から離れ、吸入口３３１を覆わない第二位置（図１４（Ａ）に示す位置）との間において、プレート３７６ａ、３７６ｂの各々を回転させる。
【００５１】
停止手段３７０Ｄは以下のように作動する。
プレート３７６ａ、３７６ｂは、第一送風機３３０ａ及び第二送風機３３０ｂが作動している間においては、第二位置（図１４（Ａ）に示す位置）に位置している。
中央制御装置が第二送風機３３０ｂの作動を停止するときには、中央制御装置は第二送風機３３０ｂを停止させると同時に、回転機構３７７ａ、３７７ｂを作動させ、プレート３７６ａ、３７６ｂを第二位置から第一位置（図１４（Ｂ）に示す位置）に移行させる。
各プレート３７６ａ、３７６ｂは半円形状をなしているため、各プレート３７６ａ、３７６ｂが第一位置に移行すると、各プレート３７６ａ、３７６ｂが協働して円形のプレートを形成する。これにより、図１４（Ｃ）に示すように、吸入口３３１は二つのプレート３７６ａ、３７６ｂにより全体的に塞がれる。
【００５２】
プレート３７６ａ、３７６ｂが第一位置に移行し、第二送風機３３０ｂの吸入口３３１がプレート３７６ａ、３７６ｂによって塞がれると、第二送風機３３０ｂは空気を吸入することが不可能となり、ひいては、バイパス通路３３０ｃを介して空気をダクト３２０に送り込むことも不可能になる。
以上のように、停止手段３７０Ｄを設けることにより、第二送風機３３０ｂの作動が停止された直後の段階から第二送風機３３０ｂからの空気流の発生は強制的に停止される。このため、第二送風機３３０ｂが作動を停止した後では、第二送風機３３０ｂからの送風は確実になくなるため、第二送風機３３０ｂが作動を停止した直後の段階から第一送風機３３０ａを作動させることが可能になる。
プレート３７６ａ、３７６ｂは、例えば、第一送風機３３０ａが作動を開始するのと同時に、第一位置から第二位置に移行する。
【００５３】
本実施形態においては、２個の半円形状のプレート３７６ａ、３７６ｂを用いたが、プレートの個数及び形状はこれには限定されない。吸入口３３１を部分的に塞ぐ大きさを有する複数個のプレートであって、全部のプレートが第一位置に移行したときに、全部のプレートが協働して吸入口３３１を全体的に塞ぐことができるプレートであれば、任意の個数及び形状のプレートを用いることができる。
上記の第一乃至第五の実施形態においては、停止手段３７０、３７０Ａ−３７０Ｄを介して第二送風機３３０ｂの出力を強制的に停止する例を示したが、停止手段３７０、３７０Ａ−３７０Ｄを用いて第一送風機３３０ａの出力を強制的に停止させることも可能である。
【符号の説明】
【００５４】
３００  本発明の第一の実施形態に係る紙葉類搬送装置
３１０  キャリア
３２０  ダクト
３３０ａ  第一送風機
３３０ｂ  第二送風機
３４０  紙幣収容室
３７０、３７０Ａ−３７０Ｄ  停止手段
３７１  プレート
３７２  回転機構
４００  遊戯機器
４０１  遊技媒体貸し出し機
【図１】
0006980293.tif 000002
【図２】
0006980293.tif 000003
【図３】
0006980293.tif 000004
【図４】
0006980293.tif 000005
【図５】
0006980293.tif 000006
【図６】
0006980293.tif 000007
【図７】
0006980293.tif 000008
【図８】
0006980293.tif 000009
【図９】
0006980293.tif 000010
【図１０】
0006980293.tif 000011
【図１１】
0006980293.tif 000012
【図１２】
0006980293.tif 000013
【図１３】
0006980293.tif 000014
【図１４】
0006980293.tif 000015
【図１５】
0006980293.tif 000016
【図１６】
0006980293.tif 000017
【図１７】
0006980293.tif 000018
【図１８】
0006980293.tif 000019
【図１９】
0006980293.tif 000020
【図２０】
0006980293.tif 000021